(57)【要約】【課題】  立体的な表示が可能であり、且つ、線状表示部があっても、配線部材が１個で良く、組付けが煩雑になる虞が少ない表示装置を提供する。【解決手段】  発光型表示器４０は、第一の発光部６２，６３，６４，６５，６６及び第二の発光部６８を有する。反射手段は、第二の発光部６８が発した光を反射させる。導光部材は、反射手段で反射された光を受けて更に反射させる反射部４１ｂを有し、発光型表示器４０の前方に配置される。発光型表示器４０の第一の発光部は、反射部からなる線状表示部４１ｂの上側に配設された第一の表示部６２，６５と、線状表示部４１ｂの下側に配設された第二の表示部６３，６４，６６とを有する。第一の表示部６２，６５及び第二の表示部６３，６４，６６に駆動電圧を印加させるための端子部に電気的に接続される配線部材を設ける。導光部材の前方に円偏光部材４２を設ける。【選択図】  図３
2006030842.tif 000002
【特許請求の範囲】
【請求項１】
第一の発光部及び第二の発光部を有する発光型表示器と、前記第二の発光部が発した光を反射させる反射手段と、前記反射手段で反射された光を更に反射させる反射部を有し前記発光型表示器の前方に配置された導光部材と、を有することを特徴とする表示装置。
【請求項２】
前記発光型表示器の前記第一の発光部は、前記反射部からなる線状表示部の上側に配設された第一の表示部と、前記線状表示部の下側に配設された第二の表示部と、を有することを特徴とする請求項１に記載の表示装置。
【請求項３】
前記第一の表示部及び前記第二の表示部に駆動電圧を印加させるための端子部に、電気的に接続される配線部材を設けたことを特徴とする請求項２に記載の表示装置。
【請求項４】
前記反射手段は、前記導光部材に設けられた傾斜反射面であることを特徴とする請求項１に記載の表示装置。
【請求項５】
前記反射部は、前記導光部材に形成された凹部であることを特徴とする請求項１に記載の表示装置。
【請求項６】
前記第一の発光部が発した光と、前記反射部で反射された光と、を通過させる窓部を有すると共に、前記第二の発光部を隠す見返し部材を設けたことを特徴とする請求項１に記載の表示装置。
【請求項７】
前記第二の発光部と前記反射手段の間にカラーフィルタを設けたことを特徴とする請求項１に記載の表示装置。
【請求項８】
前記発光型表示器は、有機ＥＬパネルであることを特徴とする請求項１に記載の表示装置。
【請求項９】
前記導光部材の前方に円偏光部材を設けたことを特徴とする請求項８に記載の表示装置。
【請求項１０】
第一の発光表示部と第二の発光表示部と照明用発光部とを有する発光型表示器と、
前記照明用発光部が発した光を反射させる反射手段と、
正面視で前記第一の発光表示部と前記第二の発光表示部の間に配設され、前記反射手段で反射された光を受けて光輝する線状表示部を有し、前記発光型表示器の前方に配置された導光部材と、
前記第一の発光表示部及び前記第二の発光表示部に駆動電圧を印加するための端子部に電気的に接続される配線部材と、
を有することを特徴とする表示装置。
【発明の詳細な説明】
【技術分野】
【０００１】
本発明は、有機ＥＬパネル等の発光型表示器を用いた表示装置に関するものである。
【背景技術】
【０００２】
従来より、有機ＥＬパネルが種々提案されており、例えば特許文献１に開示されている。有機ＥＬパネル１は、ガラス基板２上に積層体３を形成したものであり、この積層体３は、第一電極４，絶縁層５，有機層６，アルミニウム（Ａｌ）からなる第二電極７を有する（図７参照）。第一電極４は、ＩＴＯ（Indium Tin Oxide）等の透明電極からなるものである。有機層６は、蒸着等の手段によって正孔注入層，正孔輸送層，発光層，電子輸送層及び電子注入層を順次形成したものである。
【特許文献１】特開２００３−２８８９８４号公報
【０００３】
積層体３は封止ガラス８に覆われており、この封止ガラス８はガラス基板２に紫外線硬化性の接着剤９で固着されている。第一電極４は、陽極部４ａと、陽極端子部４ｂと、陰極端子部４ｃとを有している。有機層６は、陽極部４ａと第二電極７に挟持されており、第二電極７は、陰極端子部４ｃに電気的に接続されている。陽極端子部４ｂ及び陰極端子部４ｃに電源を接続し、陽極部４ａと第二電極７の間に駆動電圧を印加することにより、有機層６が発光する。
【０００４】
図８は、他の従来例を示す有機ＥＬパネル１１の正面図である。有機ＥＬパネル１１は、可変表示部１２，１３，１４と、固定表示部１５，１６と、線状表示部１７とを有している。線状表示部１７は、横方向に伸長した細長い線形状になっている。可変表示部１２及び固定表示部１５は、線状表示部１７の上側に配置されている。可変表示部１３，１４及び固定表示部１６は、ライン表示部１７の下部に配置されている。有機ＥＬパネル１１の上側には、可撓性配線板２１が接続され、有機ＥＬパネル１１の下側には、可撓性配線板２２が接続されている。
【発明の開示】
【発明が解決しようとする課題】
【０００５】
しかしながら、有機ＥＬパネル１１の可変表示部１２，１３，１４，固定表示部１５，１６及びライン表示部１７による表示は平面的であり、立体感がないという問題を有していた。本発明の第一の目的は、立体的な表示が可能な表示装置を提供するものである。
【０００６】
また、可変表示部１２，１３，１４，固定表示部１５，１６及び線状表示部１７に駆動電圧を印加させるための全ての端子部を１個の可撓性配線板２２に接続することはできないため、有機ＥＬパネル１１には、２個の可撓性配線板２１，２２を設ける必要があった。つまり、横方向に伸長したライン表示部１７があると、ライン表示部１７の横側Ｓが狭いため、線状表示部１７の上側に配置された可変表示部１２及び固定表示部１５に駆動電圧を印加させるための端子部を、線状表示部１７を迂回して、ライン表示部１７の横側Ｓを通るように設けて、可撓性配線板２２に接続することは不可能である。
本発明の第二の目的は、線状表示部があっても、配線部材が１個で良く、組付けが煩雑になる虞が少ない表示装置を提供するものである。
【課題を解決するための手段】
【０００７】
本発明は、前記課題を解決するため、請求項１に記載したように、第一の発光部６２，６３，６４，６５，６６及び第二の発光部６８を有する発光型表示器４０と、前記第二の発光部４０が発した光Ｌ２を反射させる反射手段４１ａ，７３と、前記反射手段４１ａ，７３で反射された光Ｌ２を受けて更に反射させる反射部４１ｂ，７１ｂを有し前記発光型表示器４０の前方に配置された導光部材４１，７１と、を有するものである。
【０００８】
また、本発明は、請求項２に記載したように、前記発光型表示器４０の前記第一の発光部は、前記反射部からなる線状表示部４１ｂ，７１ｂの上側に配設された第一の表示部６２，６５と、前記線状表示部４１ｂ，７１ｂの下側に配設された第二の表示部６３，６４，６６と、を有するものである。
【０００９】
また、本発明は、請求項３に記載したように、前記第一の表示部６２，６５及び前記第二の表示部６３，６４，６６に駆動電圧を印加させるための端子部５６ｂ，５６ｃに電気的に接続される配線部材４５を設けたものである。
【００１０】
また、本発明は、請求項４に記載したように、前記反射手段は、前記導光部材４１に設けられた傾斜反射面４１ａであるものである。
【００１１】
また、本発明は、請求項５に記載したように、前記反射部は、前記導光部材４１，７１に形成された凹部４１ｂ，７１ｂであるものである。
【００１２】
また、本発明は、請求項６に記載したように、前記第一の発光部６２，６３，６４，６５，６６が発した光Ｌ１と、前記反射部４１ｂ，７１ｂで反射された光Ｌ２と、を通過させる窓部２２ｅ，７４ｅを有すると共に、前記第二の発光部６８を隠す見返し部材２２，７４を設けたものである。
【００１３】
また、本発明は、請求項７に記載したように、前記第二の発光部６８と前記反射手段４１ａ，７３の間にカラーフィルタ７０，７２を設けたものである。
【００１４】
また、本発明は、請求項８に記載したように、前記発光型表示器は、有機ＥＬパネル４０であるものである。
【００１５】
また、本発明は、請求項９に記載したように、前記導光部材４１，７１の前方に円偏光部材４２を設けたものである。
【００１６】
また、本発明は、請求項１０に記載したように、
第一の発光表示部６２，６５と第二の発光表示部６３，６４，６６と照明用発光部６８とを有する発光型表示器４０と、
前記照明用発光部６８が発した光Ｌ２を反射させる反射手段４１ａ，７３と、
正面視で前記第一の発光表示部６２，６５と前記第二の発光表示部６３，６４，６６の間に配設され、前記反射手段４１ａ，７３で反射された光Ｌ２を受けて光輝する線状表示部４１ｂ，７１ｂを有し、前記発光型表示器４０の前方に配置された導光部材４１，７１と、
前記第一の発光表示部６２，６５及び前記第二の発光表示部６３，６４，６６に駆動電圧を印加するための端子部５６ｂ，５６ｃに電気的に接続される配線部材４５と、
を有するものである。
【発明の効果】
【００１７】
発光型表示器による表示と共に、発光型表示器から所定間隔を有する位置に線状表示部が表示されるため、立体的な表示になる。
【発明を実施するための最良の形態】
【００１８】
以下、添付の図面に基づいて、本発明を車両用表示装置に適用した一実施例を説明する。図１乃至図５は第一実施形態を示す図である。
２１はハウジングであり、このハウジング２１には後述する指示計器が収容されている。２２は見返し部材であり、この見返し部材２２は係止爪（図示しない）によりハウジング２１に係止されている。２３は透光性カバーであり、この透光性カバー２３は湾曲部２３ａ及びリブ部２３ｂを有している。透光性カバー２３は、アクリルまたはポリカーボネート等の透光性樹脂からなるものである。透光性カバー２３は、リブ部２３ｂに設けられた係止爪（図示しない）により見返し部材２２に係止されている。
【００１９】
ハウジング２１には４個の指示計器、即ち、燃料計２５，速度計２６，回転計２７，水温計２８が収納されている。速度計２６及び回転計２７は、燃料計２５及び水温計２８よりも大きくなっており、燃料計２５及び水温計２８の間に配置されている。見返し部材２２は、燃料計２５，回転計２７，水温計２８に対応する円形の開口２２ａ，２２ｃ，２２ｄと、速度計２６に対応する略扇形の開口２２ｂと、後述する有機ＥＬパネルに対応する矩形の開口２２ｅを有している。
【００２０】
各指示計器２５，２６，２７，２８は、夫々、文字板３１，発光ダイオード３２，導光板３３，指針３４，ステッピングモータ３５を有している。発光ダイオード３２及びステッピングモータ３５は回路基板３６に搭載されている。文字板３１はポリカーボネート等の樹脂からなる透光性基板に、透過性インクからなる半透過層を指標部３８に印刷形成し、指標部３８を除いて黒色インクからなる遮光層を印刷形成したものである。発光ダイオード３２及び導光板３３は文字板３１の後方に配置されており、指標部３８は発光ダイオード３２の光により透過照明される。指針３４はステッピングモータ３５により回動され、文字板３１の指標部３８を指示する。発光ダイオード３２が発した光は導光板３３の反射面３３ａによって指針３４に導かれ、指針３４の指示部３９が光輝する。
【００２１】
４０は有機ＥＬパネルであり、この有機ＥＬパネル４０は見返し部材２２の後方に配設されている。４１は導光部材であり、この導光部材４１は有機ＥＬパネル４０と見返し部材２２の間に配設されている。導光部材４１は、アクリルまたはポリカーボネート等の透光性樹脂からなるものであり、略平板形状になっている。導光部材４１は、傾斜反射面４１ａ（反射手段）を有しており、後述する照明用発光部６８が発した光Ｌ２を反射させる。
【００２２】
導光部材４１には凹部４１ｂ（反射部）が形成されており、傾斜反射面４１ａで反射された光Ｌ２によって凹部４１ｂが光輝する。凹部４１ｂは、断面が三角形状であり、正面視では横方向に伸長した線形状になっている（図３参照）。導光部材４１の裏面には青色のカラーフィルタ７０が貼着されており、後述する照明用発光部６８が発した白色の光Ｌ２を青色に変換する。４２は円偏光部材であり、この円偏光部材４２は導光部材４１の前面に貼着されている。円偏光部材４２は、直線偏光板と複屈折板とからなるものである。なお、複屈折板は、１／４波長板と称されることもある。
【００２３】
見返し部材２２には矩形の開口２２ｅが形成されており、有機ＥＬパネル４０は開口２２ｅに対応する位置に配置されている。４４はケース体であり、このケース体４４で有機ＥＬパネル４０及び導光部材４１が保持されている。４５は可撓性配線板（配線部材）であり、この可撓性配線板４５の一端は有機ＥＬパネル４０に接続され、他端は回路基板３６のコネクタ４８に接続されている。
【００２４】
次に、図３及び図４に基づいて、有機ＥＬパネル４０について詳述する。有機ＥＬパネル４０は、透光性基板５５の後面に、ＩＴＯからなる第一電極５６，絶縁層５７，有機層５８，アルミニウム（Ａｌ）等からなる第二電極５９を順次積層したものであり、第二電極５９の後側には封止ガラス６０が配設されている。封止ガラス６０は、紫外線硬化型の接着剤で透光性基板５５に固着されている。第一電極５６は、セグメント部５６ａと、セグメント部５６ａに連なる陽極端子部５６ｂと、陰極端子部５６ｃとを有している。有機層５８は、少なくとも発光層があれば良いが、ホール輸送層，電子輸送層等があっても良い。
【００２５】
有機ＥＬパネル４０は、正面視で横長の長方形になっており、可変表示部６２，６３，６４と、固定表示部６５，６６と、照明用発光部６８とを有している。可変表示部６２，６３，６４，固定表示部６５，６６，照明用発光部６８は、駆動電圧が印加されると白色に発光するものである。可変表示部６２（第一の表示部）及び固定表示部６５（第一の表示部）は、正面視で凹部４１ｂの上側に配置されている。可変表示部６３，６４（第二の表示部）及び固定表示部６６（第二の表示部）は、正面視で凹部４１ｂの下側に配置されている。
【００２６】
照明用発光部６８は、複数の発光セグメントからなるものであり、横方向の列状に配置されている。照明用発光部６８は、見返し部材２２によって隠されている。可変表示部６２，６３，６４，固定表示部６５，６６及び照明用発光部６８に駆動電圧を印加するための陽極端子部５６ｂ及び陰極端子部５６ｃは、可撓性配線板４５に電気的に接続されている。
【００２７】
可変表示部６２，６３，６４及び固定表示部６５，６６が発した光Ｌ１は導光部材４１及び開口２２ｅを通過して、運転者の視点に達する。照明用発光部６８が発した光Ｌ２は、カラーフィルタ７０を通過し、導光部材４１の傾斜反射面４１ａで反射され、凹部４１ｂで更に反射される。
【００２８】
図６は第二実施形態を示すものである。第二実施形態は、第一実施形態と同一の箇所には同一の符号を付しその詳細な説明を省略する。
導光部材７１の凹部７１ｂは、断面が半円形状になっている。カラーフィルタ７２は、有機ＥＬパネル４１の照明用発光部６８に対向する箇所に貼着されている。７３は反射ミラー（反射手段）であり、この反射ミラー７３は見返し部材７４の保持部７４ｂに傾斜した状態で保持されており、有機ＥＬパネル４０の照明用発光部６８が発した光Ｌ２を導光部材７１に向けて反射させる。反射ミラー７３で反射された光Ｌ２は、凹部７１ｂを光輝させる。
【００２９】
第一，第二実施形態によれば、有機ＥＬパネル４０の可変表示部６２，６３，６４，固定表示部６５，６６から所定間隔Ｄを有する箇所にある凹部４１ｂ，７１ｂが光輝するため、立体的な表示になる。また、可変表示部６２，６３，６４及び固定表示部６５，６６に駆動電圧を印加するための陽極端子部５６ｂ及び陰極端子部５６ｃを、１個の可撓性配線板４５に電気的に接続することができ、複数の可撓性配線板を設ける必要がない。
【００３０】
なお、本発明は、第一，第二実施形態に限定されるものではなく、種々の変形が可能であり、例えば、発光型表示器は、バックライトを備えた液晶表示器であっても良い。また、円偏光部材４２はなくても良いが、円偏光部材４２を設けることにより、有機ＥＬパネル４０による表示コントラストを良好にすることができる。また、カラーフィルタ７０，７２はなくても良いが、カラーフィルタ７０，７２を設けることによって、有機ＥＬパネル４０の可変表示部６２，６３，６４，固定表示部６５，６６による表示色（例えば白色）と、導光部材４１，７１の凹部４１ｂ，７１ｂの表示色（例えば青色）を別々にすることができる。
【図面の簡単な説明】
【００３１】
【図１】本発明の第一実施例を示す車両用表示装置の正面図。
【図２】同上実施例を示す車両用表示装置の断面図。
【図３】同上実施例を示す有機ＥＬパネルの正面図。
【図４】同上実施例を示す有機ＥＬパネルの分解斜視図。
【図５】同上実施例を示す要部断面図。
【図６】本発明の第二実施形態を示す要部断面図。
【図７】従来例を示す有機ＥＬパネルの断面図。
【図８】他の従来例を示す有機ＥＬパネルの正面図。
【符号の説明】
【００３２】
２２    見返し部材
２２ｅ  開口（窓部）
４０    有機ＥＬパネル（発光型表示器）
４１    導光部材
４１ａ  傾斜反射面（反射手段）
４１ｂ  凹部（反射部）
４２    円偏光部材
４５    可撓性配線板（配線部材）
５６ｂ  陽極端子部
５６ｃ  陰極端子部
６２    可変表示部（第一の発光部）
６３    可変表示部（第一の発光部）
６４    可変表示部（第一の発光部）
６５    固定表示部（第一の発光部）
６６    固定表示部（第一の発光部）
６８    照明用発光部（第二の発光部）
７０    カラーフィルタ
７１    導光部材
７１ｂ  凹部（反射部）
７２    カラーフィルタ
７３    反射ミラー（反射手段）
【図１】
2006030842.tif 000003
【図２】
2006030842.tif 000004
【図３】
2006030842.tif 000005
【図４】
2006030842.tif 000006
【図５】
2006030842.tif 000007
【図６】
2006030842.tif 000008
【図７】
2006030842.tif 000009
【図８】
2006030842.tif 000010